(57)【要約】【課題】加圧装置によりポット本体内の水のろ過効果を向上した加圧式ろ過ポット。【解決手段】中空のケース体である定位台1、及び固定蓋21、ピストン棒22、ピストン23、バルブ片24、シリンダ体25を備える加圧装置2、及び収容設置ケース体30と該収容設置ケース体30内部に各種の濾過材、鉱物質添加材からなる数個のろ過層を収容したろ過器3、及び上方が開放状態を呈する容器であるポット本体4からなり、該定位台1上方には、該ポット本体4上方に対応して嵌設可能な嵌合部13と該嵌合部13より上方へと拡大延伸した嵌合部131を形成する。ポット本体内に水を注入し、ピストンを操作して空気を圧送することにより、濾過器内に水を送りこんでろ過層に速やかに透過することにより、効果的に濾過し、有用な鉱物成分を添加することができる。【選択図】図１
0003150947.tif 000002
【実用新案登録請求の範囲】
【請求項１】
加圧式ろ過ポットであって、中空のケース体である定位台、固定蓋、ピストン棒、ピストン、バルブ片、シリンダ体を備えた加圧装置、収容設置ケース体及び該収容設置ケース体内部に設置する数個のろ過層を含むろ過器、上方が開放状態を呈する容器であるポット本体からなり、
該定位台の上方には、該ポット本体上方に対応して嵌設可能な嵌合部、及び該嵌合部より上方へと拡大延伸する嵌合部を備え、該嵌合部の下端縁により、該ポット本体の上端開口に嵌合し、その下方には開口を具える接続壁を備え、該接続壁により該ろ過器の上方と螺合して結合し、該中空の定位台の上方開口は接続壁を備え、これにより該加圧装置を螺合して結合し、
該加圧装置の固定蓋は、螺合或いは他の結合方式により、該定位台上方の接続壁と結合し、該固定蓋は内環状壁を備えて該シリンダ体の上方と螺合して結合し、かつ該固定蓋は、上下に貫通した軸孔を備えてピストン棒の棒体を通過し、該ピストン棒の棒体上方には、柄部を連結すると共に該棒体の下方は該固定蓋を貫通して該ピストンに連結し、該ピストンは、外周に環状溝を備えて気密リングを嵌設し、該ピストン棒はピストンを連結して該シリンダ体内部のシリンダ内に挿入し、該シリンダ体の底壁面には、嵌合溝と相互に間隔を設けた排気孔を備え、該嵌合溝により該バルブ片上方の嵌設部を嵌設して固定し、また該バルブ片の上面は、該シリンダ体の底壁面の排気孔を閉塞し、
該ろ過器の該収容設置ケース体の上方には、開口を備え、螺合方式により、該定位台下方の接続台と結合し、該収容設置ケース体の底壁面には、数個の穿孔を設置し、該数個のろ過層はそれぞれはセラミック片ろ過層、重金属剤除去竹炭添加フィルターろ過層、イオン交換樹脂顆粒ろ過層、銅亜鉛合金(KDF)顆粒ろ過層、亜硫酸カルシウム顆粒ろ過層、アルカリ性微量元素鉱石顆粒ろ過層、トルマリン焼結顆粒ろ過層と抗菌銀イオン不織布ろ過層であって、
該ポット本体の上端開口は、該定位台の嵌合部の下端縁に嵌合し、該定位台は該ポット本体内へと嵌入し、該ポット本体の一方側には注ぎ口部を形成したことを特徴とする、加圧式ろ過ポット。
【請求項２】
前記定位台上方の接続壁と該加圧装置の固定蓋は、外ネジヤマと内ネジヤマの相互螺合方式により組み合わされて接続し、該固定蓋は、さらに環状凹溝を設けて密封ワッシャを嵌設し、気密効果を向上したことを特徴とする、請求項１記載の加圧式ろ過ポット。
【請求項３】
前記定位台下方の接続壁と該ろ過器の収容設置ケース体の上方開口は、外ネジヤマと内ネジヤマの相互螺合方式により組み合わされて接続し、該定位台の接続壁には、環状凹溝を設けて密封ワッシャを嵌設し、気密効果を向上したことを特徴とする、請求項１記載の加圧式ろ過ポット。
【請求項４】
前記加圧装置の固定蓋の内環状壁と該シリンダ体の上方は、内ネジヤマと外ネジヤマの相互螺合方式により組み合わされて接続し、該固定蓋には、内環状凹溝を設けて密封ワッシャを嵌設し、気密効果を向上したことを特徴とする、請求項１記載の加圧式ろ過ポット。
【請求項５】
前記ろ過器の収容設置ケース体に設置する重金属剤除去竹炭添加フィルターろ過層の、該竹炭添加重金属剤除去フィルターは、高圧により炭棒を圧縮し焼製して製造し、
該収容設置ケース体に設置するアルカリ性微量元素鉱物顆粒ろ過層の、該微量元素鉱石顆粒は、鉱石から鉱物元素粉末を精錬し、成型して再び高温で焼結して顆粒状とし、
該収容設置ケース体に設置するトルマリン焼結顆粒ろ過層の、トルマリン焼結顆粒は、遠赤外線を発生するトルマリン焼結顆粒で、トルマリン粉末と陶土を焼結して製造したことを特徴とする、請求項１記載の加圧式ろ過ポット。
【考案の詳細な説明】
【技術分野】
【０００１】
本考案は、加圧式ろ過ポットに関し、特に加圧装置によりポット本体内の水はろ過器の各ろ過層に迅速に滲透して最適なろ過効果を達成し、ろ過後の水を飲用することにより健康に有益である加圧式ろ過ポットに関するものである。
【背景技術】
【０００２】
現在市販されている、ろ過器を設置するポットは、水と、そのろ過層が接触することで水をろ過することができるが、水は各ろ過層に十分に滲透することができないため、ろ過効果には限界がある。
さらに、ろ過後の水は酸性に傾き、そのため健康効果を期待することはできない。
【０００３】
次に、一般家庭の水道水は、煮沸を経なければ飲用できないが、ガス或いは電熱により煮沸するため、ガス或いは電力を消費する。
また、ボトル入りの水を購入することで、ペットボトルを大量に消費する。
よって、省エネと二酸化炭素削減に相反し、環境保護の原則にも符合しない。
本考案は、従来のろ過ポットの上記した欠点に鑑みてなされたものである。
【先行技術文献】
【特許文献】
【０００４】
【特許文献１】特開２０００−５１８７０号公報
【考案の概要】
【考案が解決しようとする課題】
【０００５】
本考案が解決しようとする第一の課題は、加圧装置の加圧操作によりポット本体内の水がろ過器の各ろ過層を迅速に滲透し、最適なろ過効果を達成することができ、こうして人体に有益な健康効果を備える飲用水を提供可能な加圧式ろ過ポットを提供することである。
本考案が解決しようとする第二の課題は、家庭、オフィス等での使用に適した加圧式ろ過ポットを提供することである。
本考案が解決しようとする第三の課題は、お湯を沸かす必要がないため、ガス或いは電熱を使用せず、さらにはボトル入りの水を購入する必要もないため、省エネと二酸化炭素削減の効果を備え、環境保護を達成することができる加圧式ろ過ポットを提供することである。
【課題を解決するための手段】
【０００６】
上記課題を解決するため、本考案は下記の加圧式ろ過ポットを提供する。
加圧式ろ過ポットは、中空のケース体である定位台、及び固定蓋、ピストン棒、ピストン、バルブ片、シリンダ体を備える加圧装置、及び収容設置ケース体と該収容設置ケース体内部に設置した数個のろ過層を含むろ過器、及び上方が開放状態を呈する容器であるポット本体からなり、
該定位台上方には、該ポット本体上方に対応して嵌設可能な嵌合部と該嵌合部より上方へと拡大延伸した嵌合部を形成し、
該可加圧装置の加圧操作により、該ポット本体内の水は、迅速に該ろ過器の各ろ過層に滲透し、最適なろ過効果を達成することができ、人体に有益な健康効果を備える飲用水を提供可能で、水道水、湧泉水等の水を入れ、加圧式ろ過を行なうだけで、飲用可能であるため、家庭、オフィス等での使用に適しており、お湯を沸かす必要がないため、ガス或いは電熱を使用せず、さらにはボトル入りの水を購入する必要もないため、省エネと二酸化炭素削減の効果を備え、環境保護を達成することができる。
【考案の効果】
【０００７】
本考案は、加圧装置によりポット本体内の水はろ過器の各ろ過層に迅速に滲透し、最適なろ過効果を達成し、ろ過後の水を飲用することにより健康に有益である。
【図面の簡単な説明】
【０００８】
【図１】本考案加圧式ろ過ポットの外観立体図である。
【図２】本考案加圧式ろ過ポットのポット本体の分解状態立体図である。
【図３】本考案加圧式ろ過ポットの定位台、加圧装置、ろ過器の収容設置ケース体の一部の構成部材の立体分解図(ろ過層は図示なし)である。
【図４】本考案加圧式ろ過ポットの定位台、加圧装置、ろ過器の収容設置ケース体の一部の構成部材の立体図である。
【図５】本考案加圧式ろ過ポット組合せ状態を示す断面拡大模式図である。
【図６】本考案加圧式ろ過ポットの加圧装置の分解状態を示す立体図である。
【考案を実施するための形態】
【０００９】
以下に図面を参照しながら本考案を実施するための最良の形態について詳細に説明する。
図１〜図６に示すように、本考案の加圧式ろ過ポットは、中空のケース体である定位台1、及び固定蓋21、ピストン棒22、ピストン23、バルブ片24、シリンダ体25を備える加圧装置2、及び収容設置ケース体30と該収容設置ケース体30内部に設置した数個のろ過層31、32、33、34、35、36、37を含むろ過器3、及び上方が開放状態を呈する容器であるポット本体4から構成する。
【００１０】
該定位台1上方には、該ポット本体4上方開口に嵌設可能な嵌合部13と該嵌合部13より上方へと拡大延伸した嵌合部131を形成する。
該嵌合部131の下端縁1311により、該ポット本体4の上端縁41において嵌合し(図２、図５参照)、その下方には開口11(図５参照)を設けた接続壁12を備え、該接続壁12により、該ろ過器3の上部と螺合して結合する。
該定位台1の上方開口14を設けた接続壁15により加圧装置2を螺合して結合する。
【００１１】
該固定蓋21は、螺合或いは他の結合方式により、該定位台1上方の接続壁15と結合し、該固定蓋21は内方向に突出する内環状壁211を備え(図５参照)、該シリンダ体25の上方と螺合して結合する。
該固定蓋21は、上下に貫通した軸孔212を備え、これによりピストン棒22の棒体221を挿通する。
【００１２】
該ピストン棒22の棒体221上方には、柄部222を連結し、該棒体221の下方は該固定蓋21を貫通してピストン23に連結する。
該ピストン23は、外周に環状溝231を備え、これにより気密リング232を嵌設し、該ピストン棒22はピストン23を連結後、該シリンダ体25内部のシリンダ251内に自然に進入する。
【００１３】
該シリンダ体25の底壁面252(図５参照)には、バルブ片24上方の嵌設部241を嵌合する嵌合溝2521と相互に間隔をおいた排気孔2522を備える。
該嵌合溝2521により該バルブ片24上方の嵌設部241を嵌設して固定し、また該バルブ片24の上面242は、該シリンダ体25の底壁面252の排気孔2522を閉塞する。
【００１４】
該収容設置ケース体30の上方には、開口301を備え、螺合方式により、該定位台1下方の接続台12と結合する。
該収容設置ケース体30の底壁面302(図５参照)には、数個の穿孔3021を設置する。
【００１５】
該数個のろ過層31、32、33、34、35、36、37は、それぞれセラミック片ろ過層31、重金属剤除去竹炭添加フィルターろ過層32、イオン交換樹脂顆粒ろ過層38、銅亜鉛合金(KDF)顆粒ろ過層33、亜硫酸カルシウム顆粒ろ過層34、アルカリ性微量元素鉱石顆粒ろ過層35、トルマリン焼結顆粒ろ過層36、抗菌銀イオン不織布ろ過層37である。
【００１６】
該ポット本体4の片側には取っ手43を備え、該ポット本体4の上端縁41は、該定位台1の嵌合部131の下端縁1311に嵌合され、該定位台1は該ポット本体4内へと嵌入する。
【００１７】
該ポット本体4の反対側には、注ぎ口部42を形成し、これにより該ポット本体4内の水を注ぐことができる。
本実施例中において、該ポット本体4は透明材質を採用する。
【００１８】
さらに、図５に示すように、該定位台1上方の接続壁15と該加圧装置2の固定蓋21は、外ネジヤマ151と内ネジヤマ213(図５参照)の相互螺合方式により組み合わされて接続し、該固定蓋21には、さらに環状凹溝214を設けて密封ワッシャ215を嵌設し、気密効果を向上させる。
【００１９】
該定位台1下方の接続壁12と該ろ過器3の収容設置ケース体30の上方開口301は、外ネジヤマ121と内ネジヤマ3011の相互螺合方式により組み合わされて接続する。
【００２０】
該加圧装置2の固定蓋21の内環状壁211(図５参照)と該シリンダ体25の上方は、内ネジヤマ2111と外ネジヤマ250の相互螺合方式により、組み合わされて接続し、さらに該固定蓋21には、内環状凹溝2116を設けて密封ワッシャ2117を嵌設し、気密効果を向上させる。
また、該加圧装置2のバルブ片24は、フレキシブルなゴム或いはプラスチック材質である。
【００２１】
図５に示すように、該定位台1の嵌合部13上方へと拡大延伸する嵌合部131の片側には、さらに従来の構造である可動蓋1312を設置し、該ポット本体4片側の注ぎ口部42の上端を、ちょうど遮蔽する。
【００２２】
以上の構成部材の組み合わせにより、使用時には、該加圧装置2の固定蓋21と該定位台1の接続壁15を回して緩め、該加圧装置2全体を該定位台1から取り外す(図６参照)。
こうして、ろ過しようとする水を、該定位台1の上方開口14から注入して、該ろ過器3は水をろ過し、水はさらに下方に向かい該ポット本体4内へと流入する。
【００２３】
該加圧装置2の固定蓋21と該定位台1の接続壁15を螺合して連結後(図１、図５参照)、使用者は、該加圧装置2のピストン棒22の柄部222を握り、該ピストン棒22を上下に往復操作してシリンダ内の空気を加圧する。
【００２４】
さらに、該シリンダ体25の底壁面252の排気孔2522を通して、空気圧力により、該シリンダ体25の底壁面252と該バルブ片24の上壁面242との間に、間隙を形成し、こうして加圧された空気は、該バルブ片24と該シリンダ体25の底壁面252との間に形成された間隙を通して、下に向かい該ろ過層3へと進入する。
【００２５】
こうして、該ポット本体4内の水は、該空気圧力により、セラミック片ろ過層31、重金属剤除去竹炭添加フィルターろ過層32、イオン交換樹脂顆粒ろ過層38、銅亜鉛合金(KDF)顆粒ろ過層33、亜硫酸カルシウム顆粒ろ過層34、アルカリ性微量元素鉱石顆粒ろ過層35、トルマリン焼結顆粒ろ過層36、抗菌銀イオン不織布ろ過層37に、迅速に滲透し、最適なろ過効果を達成することができる。
【００２６】
該セラミック片ろ過層31のセラミック片は、天然珪藻土に銀イオンを含む成分を添加し製造したものであって、ろ過孔径は0.5ミクロンである。
該天然原料を素焼きして製造されるフィルターは、ろ過性能が優れているだけでなく、ミクロの病源菌、細菌、放線菌を効果的に除去することができ、ろ過効果は99.99%以上に達する。
【００２７】
該重金属剤除去竹炭添加フィルターろ過層32は、高圧で圧縮した炭棒を焼成して製造され、水中のクロロフォルム、有害な化学物質、揮発性有機物(Vocs)、鉄サビ、重金属、農薬等を効果的に吸着し、水を除臭する。
【００２８】
該イオン交換樹脂顆粒ろ過層38は、水中の石灰質を樹脂内に吸着することにより、水の硬度を低下させ、硬水を軟水に変える水質軟化の目的を達成する。
【００２９】
該銅亜鉛合金(KDF)顆粒ろ過層33の銅亜鉛合金顆粒は、環境保護水準を満たす水処理媒介で、高度の技術により精錬した銅亜鉛55を混合して、塩素の除去性能は活性炭の六倍にも達する。
【００３０】
また、該銅亜鉛合金顆粒は、Ph値を調整し、カルシウム/マグネシウムイオンを低下させて菌類、藻類の増殖を抑制し、さらに、鉛、鉄、カドミウム、アルミニウム等の水溶性重金属、及び他の無機物質を除去する。
【００３１】
該亜硫酸カルシウム顆粒ろ過層34の亜硫酸カルシウム顆粒は、日本の食品安全規格と品質規格に合格したもので、亜硫酸カルシウム純度は98%に達する。
該亜硫酸カルシウム顆粒は、耐熱、塩素除去効果に優れ、その吸着容量は活性炭の200倍以上と大きいため、最適な塩素除去効果を発揮することができる。
【００３２】
該アルカリ性微量元素鉱物顆粒ろ過層35は、深海の鉱石、火山口の岩鉱、各地の希少鉱石から、その中の重要元素をハイテク技術により精錬して取り出し、バイオケミカル技術により複合し、製造したものである。
例えば、該微量元素鉱石顆粒は、鉱石から鉱物元素粉末を精錬し、成型固化し、再び高温で焼結し顆粒状としたもの等である。
【００３３】
よって、水をアルカリ性イオン水、高酸素含有水に転化可能で、多種の鉱物質と多様性微量元素を含有させることができる。
鉱物質と微量元素は、人類の健康には欠かせない重要な存在で、鉱物質と微量元素がなければ生命力はあり得ないとさえ言える。
【００３４】
生物の体細胞内の各種鉱物質と微量元素のバランスと組合せにより、各種の病苦を回避することができる。
人体において、ある鉱物質或いは微量元素が欠乏すると、発育障害、免疫機能不十分、病気に対する抵抗力低下、精神状態の悪化、身体機能の低下、代謝異常、身体各部の腺体異常等が起きる。
【００３５】
該トルマリン焼結顆粒ろ過層36のトルマリン焼結顆粒は、水分子クラスターを瞬間的に切断することができる。
一般の水道水の水分子の場合には、13〜16個の大分子クラスター水を切断し、再び排列させ、整って、密度が高く、滲透力が強い5〜6個の小分子クラスター水を組成し、同時に、水の活性を高めることもできる。
【００３６】
小分子クラスター水は、人及び動植物の体細胞に効果的に出入りが可能であるため、細胞中の汚染源を効果的に細胞外へと排出し、細胞を浄化し活性化し、さらなる健康を導くことができる。
該トルマリン焼結顆粒は、トルマリン粉と陶土を焼結させ製造し、遠赤外線を発する。
【００３７】
該抗菌銀イオン織布ろ過層37の銀イオンは、強い殺菌効果を有する。
活性銀イオンは、細菌内酵素の硫化水素基を吸着して迅速に一体に結合し、また硫化水素基を含む酵素の活性を失わせ、細菌を死滅させる。
【００３８】
特に、大腸菌、黄色葡萄球菌、サルモネラ菌、緑膿菌に対して、良好な抑制効果を備える。
しかも、薬に対して耐性がなく、無毒で、刺激がなく、アレルギーの恐れもなく、酸/アルカリ値の影響を受けず、効果が長続きするという特徴を有する。
【００３９】
すなわち、本考案の加圧式ろ過ポットは、可加圧装置2の加圧操作により、ポット本体4内の水を迅速にろ過器3の各ろ過層31、32、38、33、34、35、36、37に滲透し、最適なろ過効果を達成することができ、人体に有益な健康効果を備える飲用水を提供可能である。
さらに、水道水、湧泉水等の水を注入して加圧式ろ過を行なうだけで、飲用可能であるため、家庭、オフィス等での使用に適している。
また、お湯を沸かす必要がないため、ガス或いは電熱を使用せず、さらにはボトル入りの水を購入する必要もないため、省エネと二酸化炭素削減の効果を備え、環境保護を達成することができる。
【産業上の利用可能性】
【００４０】
本考案の加圧式ろ過ポットは、可加圧装置の加圧操作により、ポット本体内の水は、迅速にろ過器の各ろ過層に滲透し、最適なろ過効果を達成することができ、人体に有益な健康効果を備える飲用水を提供可能で、水道水、湧泉水等の水を入れ、加圧式ろ過を行なうだけで、飲用可能であるため、家庭、オフィス等での使用に適しており、お湯を沸かす必要がないため、ガス或いは電熱を使用せず、さらにはボトル入りの水を購入する必要もないため、省エネと二酸化炭素削減の効果を備え、環境保護を達成することができる。
【符号の説明】
【００４１】
1  定位台
11  開口
12、15  接続壁
121、151、250  外ネジヤマ
13  嵌合部
131  嵌合部
1311  下端縁
1312  可動蓋
14、301  開口
2  加圧装置
21  固定蓋
211  内環状壁
2111、213、3011  内ネジヤマ
212  貫通軸孔
214、2116  環状凹溝
215、2117  密封ワッシャ
22  ピストン棒
221  棒体
222  柄部
23  ピストン
231  環状溝
232  気密リング
24  バルブ片
241  嵌設部
242  上壁面
25  シリンダ体
251  シリンダ槽
252、302  底壁面
2521  嵌合溝
2522  排気孔
3  ろ過器
30  収容設置ケース体
3021  穿孔
31  セラミック片ろ過層
32  重金属剤除去竹炭添加フィルターろ過層
33  銅亜鉛合金(KDF)顆粒ろ過層
34  亜硫酸カルシウム顆粒ろ過層
35アルカリ性微量元素鉱石顆粒ろ過層
36  トルマリン焼結顆粒ろ過層
37  抗菌銀イオン不織布ろ過層
38  イオン交換樹脂顆粒ろ過層
4  ポット本体
41  上端縁
42  注ぎ口部
43  取っ手
【図１】
0003150947.tif 000003
【図２】
0003150947.tif 000004
【図３】
0003150947.tif 000005
【図４】
0003150947.tif 000006
【図５】
0003150947.tif 000007
【図６】
0003150947.tif 000008